(57)【要約】【課題】決められたレベルの清浄度に管理された管理エリア内に微粒子や微生物が混入することを防ぐ。【解決手段】入退室管理装置１は、人感センサ４１から検知情報を受信すると、一般エリア側ゲート２１を起動させ、人感センサ４２から検知情報を受信すると、管理エリア側ゲート２２を起動させる。一般エリア側ゲート２１は、一般エリア側の受信範囲に存在する管理エリア用着用物（帽子３１、衣服３２、靴３３）から受信した識別情報を入退室管理装置１に送信する。管理エリア側ゲート２２は、着替えエリア側の受信範囲に存在する管理エリア用着用物から受信した識別情報を入退室管理装置１に送信する。入退室管理装置１は、一般エリア側ゲート２１から受信した識別情報を入室禁止リストとして記憶する。入退室管理装置１は、管理エリア側ゲート２２から受信した識別情報が入室禁止リストに含まれる場合には、警報装置６の警報を鳴らす。【選択図】図１
2015225434.tif 000002
【特許請求の範囲】
【請求項１】
清浄度が管理されていない一般エリアと、決められたレベルの清浄度に管理された管理エリアと、前記管理エリア用の管理対象物をユーザが着脱する着替えエリアとが存在する場所で、前記管理対象物が前記一般エリアへ持ち出された記録を行う入退室管理システムであって、
前記着替えエリアから前記一般エリアに出るユーザを検知する第１人感センサと、
前記着替えエリアから前記管理エリアに入るユーザを検知する第２人感センサと、
前記一般エリアと前記着替えエリアとの間に設置される一般エリア側ゲートと、
前記管理エリアと前記着替えエリアとの間に設置される管理エリア側ゲートと、
前記ユーザに警告する警告装置と、
前記第１人感センサ、前記第２人感センサ、前記一般エリア側ゲート、前記管理エリア側ゲートおよび前記警告装置と接続される入退室管理装置と、
を備え、
前記第１人感センサおよび前記第２人感センサは、ユーザの存在を検知すると、ユーザの存在を検知したことを示す検知情報を前記入退室管理装置に送信し、
前記管理対象物には、それぞれを識別する識別情報を無線で発信する電子タグが取り付けられており、
前記一般エリア側ゲートは、前記入退室管理装置から起動指示を受信すると所定の起動時間起動し、前記一般エリア側の受信範囲に存在する前記管理対象物から前記識別情報を受信して、前記入退室管理装置に送信し、
前記管理エリア側ゲートは、前記入退室管理装置から起動指示を受信すると所定の起動時間起動し、前記着替えエリア側の受信範囲に存在する前記管理対象物から前記識別情報を受信して、前記入退室管理装置に送信し、
前記警告装置は、前記入退室管理装置から警告指示を受信すると前記ユーザに警告し、
前記入退室管理装置は、
前記第１人感センサおよび前記第２人感センサから前記検知情報を受信する検知情報受信部、
前記検知情報受信部が、前記第１人感センサから前記検知情報を受信すると、前記一般エリア側ゲートに起動指示を送信し、前記検知情報受信部が、前記第２人感センサから前記検知情報を受信すると、前記管理エリア側ゲートに起動指示を送信する起動指示送信部、
前記一般エリア側ゲートおよび前記管理エリア側ゲートから前記識別情報を受信する識別情報受信部、
前記識別情報受信部が前記一般エリア側ゲートから受け取った前記識別情報を入室禁止リストとして記憶するリスト生成部、
前記識別情報受信部が前記管理エリア側ゲートから受け取った前記識別情報が、前記入室禁止リストに含まれるか否かを判定する判定部、および、
前記判定部が前記入室禁止リストに含まれると判定すると、前記警告装置に警告指示を送信する警告指示送信部、
を有する入退室管理システム。
【請求項２】
前記警告装置は、前記管理エリア側ゲートが備える自動ドアであって、
前記警告指示送信部は、前記判定部が前記入室禁止リストに含まれると判定すると、前記管理エリア側ゲートに自動ドアを閉める制御指示を送信する請求項１に記載の入退室管理システム。
【請求項３】
前記管理エリアから前記着替えエリアに入るユーザを検知する第３人感センサと、
ユーザが着用済の管理エリア用着用物を返却する返却箱と、
をさらに備え、
前記第３人感センサは、ユーザの存在を検知すると、前記検知情報を前記入退室管理装置に送信し、
前記返却箱は、管理エリア用着用物の識別情報を受信して、前記識別情報を前記入退室管理装置に送信し、
前記検知情報受信部は、前記第３人感センサから前記検知情報をさらに受信し、
前記識別情報受信部は、前記返却箱から前記識別情報をさらに受信し、
前記起動指示送信部は、前記検知情報受信部が前記第２人感センサおよび前記第３人感センサから前記検知情報を受信すると、前記管理エリア側ゲートに起動指示を送信し、
前記識別情報受信部は、前記検知情報受信部が前記第３人感センサから前記検知情報を受信した後に、前記管理エリア側ゲートから前記識別情報を受信すると、受信した前記識別情報を退室情報として一時記憶し、
前記リスト生成部は、前記検知情報受信部が前記第１人感センサから前記検知情報を受信した後に、前記識別情報受信部が前記一般エリア側ゲートから受け取った前記識別情報を入室禁止リストとして記憶し、前記識別情報受信部が前記退室情報を記憶してから、所定の時間が経過するまでに、前記識別情報受信部が前記退室情報と同一の前記識別情報を受信しない場合も、前記退室情報として一時記憶されている前記識別情報を前記入室禁止リストとして記憶し、
前記判定部は、前記検知情報受信部が前記第２人感センサから前記検知情報を受信した後に、前記識別情報受信部が前記管理エリア側ゲートから受信した前記識別情報が、前記入室禁止リストに含まれるか否かを判定する請求項１または２に記載の入退室管理システム。
【請求項４】
清浄度が管理されていない一般エリアと、決められたレベルの清浄度に管理された管理エリアと、前記管理エリア用の管理対象物をユーザが着脱する着替えエリアとが存在する場所で、前記管理対象物が前記一般エリアへ持ち出された記録を行う入退室管理システムであって、
前記着替えエリアから前記一般エリアに出るユーザを検知する第１人感センサと、
前記一般エリアから前記着替えエリアに入るユーザを検知する第４人感センサと、
前記一般エリアと前記着替えエリアとの間に設置される一般エリア側ゲートと、
前記ユーザに警告する警告装置と、
前記第１人感センサ、前記第４人感センサ、前記一般エリア側ゲートおよび前記警告装置と接続される入退室管理装置と、
を備え、
前記第１人感センサおよび前記第４人感センサは、ユーザの存在を検知すると、ユーザの存在を検知したことを示す検知情報を前記入退室管理装置に送信し、
前記管理対象物には、それぞれを識別する識別情報を無線で発信する電子タグが取り付けられており、
前記一般エリア側ゲートは、前記入退室管理装置から起動指示を受信すると所定の起動時間起動し、前記一般エリア側の受信範囲に存在する前記管理対象物から前記識別情報を受信して、前記入退室管理装置に送信し、
前記警告装置は、前記入退室管理装置から警告指示を受信すると前記ユーザに警告し、
前記入退室管理装置は、
前記第１人感センサおよび前記第４人感センサから前記検知情報を受信する検知情報受信部、
前記検知情報受信部が、前記第１人感センサおよび前記第４人感センサから前記検知情報を受信すると、前記一般エリア側ゲートに起動指示を送信する起動指示送信部、
前記一般エリア側ゲートから前記識別情報を受信する識別情報受信部、
前記検知情報受信部が、前記第１人感センサから前記検知情報を受信した後に、前記識別情報受信部が前記一般エリア側ゲートから受け取った前記識別情報を入室禁止リストとして記憶するリスト生成部、
前記検知情報受信部が、前記第４人感センサから前記検知情報を受信した後に、前記識別情報受信部が前記一般エリア側ゲートから受け取った前記識別情報が、前記入室禁止リストに含まれるか否かを判定する判定部、および、
前記判定部が前記入室禁止リストに含まれると判定すると、前記警告装置に警告指示を送信する警告指示送信部、
を有する入退室管理システム。
【請求項５】
清浄度が管理されていない一般エリアと、決められたレベルの清浄度に管理された管理エリアと、前記管理エリア用の管理対象物をユーザが着脱する着替えエリアとが存在する場所で、前記管理対象物が前記一般エリアへ持ち出された記録を行う入退室管理方法であって、
第１人感センサが実行する
前記着替えエリアから前記一般エリアに出るユーザを検知し、ユーザの存在を検知したことを示す検知情報を入退室管理装置に送信する第１検知ステップと、
前記入退室管理装置が実行する
前記第１人感センサから前記検知情報を受信する第１検知情報受信ステップと、
前記第１検知情報受信ステップで、前記第１人感センサから前記検知情報を受信すると、前記一般エリアと前記着替えエリアとの間に設置される一般エリア側ゲートに起動指示を送信する第１起動指示送信ステップと、
前記一般エリア側ゲートが実行する
前記入退室管理装置から起動指示を受信すると所定の起動時間起動し、前記一般エリア側の受信範囲に存在する前記管理対象物から前記識別情報を受信して、前記入退室管理装置に送信する第１識別情報送信ステップと、
前記入退室管理装置が実行する
前記一般エリア側ゲートから前記識別情報を受信する第１識別情報受信ステップと、
前記第１識別情報受信ステップで、前記一般エリア側ゲートから受け取った前記識別情報を入室禁止リストとして記憶するリスト生成ステップと、
第２人感センサが実行する
前記着替えエリアから前記管理エリアに入るユーザを検知し、前記検知情報を前記入退室管理装置に送信する第２検知ステップと、
前記入退室管理装置が実行する
前記第２人感センサから前記検知情報を受信する第２検知情報受信ステップと、
前記第２検知情報受信ステップで、前記第２人感センサから前記検知情報を受信すると、前記管理エリアと前記着替えエリアとの間に設置される管理エリア側ゲートに起動指示を送信する第２起動指示送信ステップと、
前記管理エリア側ゲートが実行する
前記入退室管理装置から起動指示を受信すると所定の起動時間起動し、前記着替えエリア側の受信範囲に存在する前記管理対象物から前記識別情報を受信して、前記入退室管理装置に送信する第２識別情報送信ステップと、
前記入退室管理装置が実行する
前記管理エリア側ゲートから前記識別情報を受信する第２識別情報受信ステップと、
前記第２識別情報受信ステップで、前記管理エリア側ゲートから受け取った前記識別情報が、前記入室禁止リストに含まれるか否かを判定する判定ステップと、
前記判定ステップで、前記入室禁止リストに含まれると判定すると、警告装置に警告指示を送信する警告指示送信ステップと、
前記警告装置が実行する
前記入退室管理装置から警告指示を受信し、ユーザに警告する警告ステップと、
を備える入退室管理方法。
【請求項６】
清浄度が管理されていない一般エリアと、決められたレベルの清浄度に管理された管理エリアと、前記管理エリア用の管理対象物をユーザが着脱する着替えエリアとが存在する場所で、前記管理対象物が前記一般エリアへ持ち出された記録を行う入退室管理方法であって、
第１人感センサが実行する
前記着替えエリアから前記一般エリアに出るユーザを検知し、ユーザの存在を検知したことを示す検知情報を入退室管理装置に送信する第１検知ステップと、
前記入退室管理装置が実行する
前記第１人感センサから前記検知情報を受信する第１検知情報受信ステップと、
前記第１検知情報受信ステップで、前記第１人感センサから前記検知情報を受信すると、前記一般エリアと前記着替えエリアとの間に設置される一般エリア側ゲートに起動指示を送信する第１起動指示送信ステップと、
前記一般エリア側ゲートが実行する
前記入退室管理装置から起動指示を受信すると所定の起動時間起動し、前記一般エリア側の受信範囲に存在する前記管理対象物から前記識別情報を受信して、前記入退室管理装置に送信する第１識別情報送信ステップと、
前記入退室管理装置が実行する
前記一般エリア側ゲートから前記識別情報を受信する第１識別情報受信ステップと、
前記第１検知情報受信ステップで、前記第１人感センサから前記検知情報を受信した後に、前記第１識別情報受信ステップで、前記一般エリア側ゲートから受け取った前記識別情報を入室禁止リストとして記憶するリスト生成ステップと、
第４人感センサが実行する
前記一般エリアから前記着替えエリアに入るユーザを検知し、ユーザの存在を検知したことを示す検知情報を入退室管理装置に送信する第３検知ステップと、
前記入退室管理装置が実行する
前記第４人感センサから前記検知情報を受信する第３検知情報受信ステップと、
前記第３検知情報受信ステップで、前記第４人感センサから前記検知情報を受信すると、前記一般エリア側ゲートに起動指示を送信する第３起動指示送信ステップと、
前記一般エリア側ゲートが実行する
前記入退室管理装置から起動指示を受信すると所定の起動時間起動し、前記一般エリア側の受信範囲に存在する前記管理対象物から前記識別情報を受信して、前記入退室管理装置に送信する第３識別情報送信ステップと、
前記入退室管理装置が実行する
前記一般エリア側ゲートから前記識別情報を受信する第３識別情報受信ステップと、
前記第３検知情報受信ステップで、前記第４人感センサから前記検知情報を受信した後に、前記第３識別情報受信ステップで、前記一般エリア側ゲートから受け取った前記識別情報が、前記入室禁止リストに含まれるか否かを判定する判定ステップと、
前記判定ステップで、前記入室禁止リストに含まれると判定すると、警告装置に警告指示を送信する警告指示送信ステップと、
前記警告装置が実行する
前記入退室管理装置から警告指示を受信し、ユーザに警告する警告ステップと、
を備える入退室管理方法。
【発明の詳細な説明】
【技術分野】
【０００１】
本発明は、ユーザの入退室を管理する入退室管理システムおよび入退室管理方法に関する。
【背景技術】
【０００２】
一般的に、塵や埃といった微粒子が製品に混入することを嫌う半導体工場、液晶工場、精密機器工場や、細菌類などの排除が必要な手術室や滅菌室、医薬品や化粧品の製造所、細菌を含め、異物、虫などの混入が許されない環境である調理場、食品製造ラインなどでは、空気中における浮遊微粒子や浮遊微生物を排除し、決められたレベルの清浄度に管理されたクリーンルーム内で作業を行い、クリーンルーム内で作業するユーザは当人からの微粒子放出を防止するため、クリーンルーム用の帽子、衣類、靴などをクリーンルーム入室時に着用する。
【０００３】
特許文献１には、試着室に持ち込まれた商品に取り付けられたタグから放射される電波を受信し、電波から商品固有の識別情報を検出し、その検出した識別情報及び試着室内人物検知センサからの情報に基づいて、客が商品又は商品に取り付けられたタグを残して試着室を退出したとき、報知又は警告を行う盗難防止装置が開示されている。
【０００４】
特許文献２には、侵入者は、第１識別情報を示す第１の無線信号を発信する第１発信機が搭載される携行品を携行し、第２識別情報を示す第２の無線信号を発信する第２発信機が搭載される装着品を装着し、第１の無線信号および第２の無線信号の双方を受信して第１識別情報と第２識別情報とを相互に対応付けた対応付情報を参照して、第２の無線信号を受信した場合に進入者を特定する入退室管理システムが開示されている。
【０００５】
特許文献３には、電子タグに書込まれるデータを、非接触で書込み、スキャナに読出させ、この読出しデータによって電子タグを具備した衣服を着用した者の入退室管理、滞在時間管理、着用回数管理、洗濯回数管理など、複数の管理項目の管理用データとして利用するようにした電子タグを具備する衣服が開示されている。
【０００６】
特許文献４には、送信アンテナと受信アンテナとを自動ドアの近傍に配置して、設定周波数帯をスキャンする電波を発信し、自動ドアの前に位置した人間が装着しているＬＣ共振回路の反射波を受信し、反射波波形に該当するＩＤデータが通行許可登録されているものであれば、自動ドアを開く自動ドア制御システムが開示されている。
【先行技術文献】
【特許文献】
【０００７】
【特許文献１】特開平１１−１７５８５７号公報
【特許文献２】特開２０１０−２３８１１９号公報
【特許文献３】特開平１１−３１２２２４号公報
【特許文献４】特開平１１−３４５２８８号公報
【発明の概要】
【発明が解決しようとする課題】
【０００８】
しかし、クリーンルームへ入室する際はクリーンルーム用の帽子、衣類、靴を着用するというルールの遵守はユーザの意識にゆだねられており、ルール徹底は完全ではない。
【０００９】
特許文献１〜４の技術は、特定エリア内または特定エリアへの進入時のみを対象としており、管理対象物を特定エリア外へ持ち出した記録を行う機能がない。したがって、管理対象物を特定エリア外へ一旦持ち出した後に、特定エリア内へ持ち込んだ場合の検出ができない。
【００１０】
本発明は、上述のような事情に鑑みてなされたもので、ユーザが管理対象物を着用または携行し、決められたレベルの清浄度に管理された管理エリア内に出入りする場合において、清浄度が管理されていない一般エリアへ一旦持ち出されたことで汚染された管理対象物が管理エリアに持ち込まれることを防止し、管理エリア内に微粒子や微生物が混入することを防ぐことを目的とする。
【課題を解決するための手段】
【００１１】
上記目的を達成するため、本発明に係る入退室管理システムは、清浄度が管理されていない一般エリアと、決められたレベルの清浄度に管理された管理エリアと、管理エリア用の管理対象物をユーザが着脱する着替えエリアとが存在する場所で、管理対象物が一般エリアへ持ち出された記録を行う入退室管理システムである。入退室管理システムは、着替えエリアから一般エリアに出るユーザを検知する第１人感センサと、着替えエリアから管理エリアに入るユーザを検知する第２人感センサと、一般エリアと着替えエリアとの間に設置される一般エリア側ゲートと、管理エリアと着替えエリアとの間に設置される管理エリア側ゲートと、ユーザに警告する警告装置と、第１人感センサ、第２人感センサ、一般エリア側ゲート、管理エリア側ゲートおよび警告装置と接続される入退室管理装置と、を備える。第１人感センサおよび第２人感センサは、ユーザの存在を検知すると、ユーザの存在を検知したことを示す検知情報を入退室管理装置に送信する。管理対象物には、それぞれを識別する識別情報を無線で発信する電子タグが取り付けられている。一般エリア側ゲートは、入退室管理装置から起動指示を受信すると所定の起動時間起動し、一般エリア側の受信範囲に存在する管理対象物から識別情報を受信して、入退室管理装置に送信する。管理エリア側ゲートは、入退室管理装置から起動指示を受信すると所定の起動時間起動し、着替えエリア側の受信範囲に存在する管理対象物から識別情報を受信して、入退室管理装置に送信する。警告装置は、入退室管理装置から警告指示を受信するとユーザに警告する。入退室管理装置は、検知情報受信部、起動指示送信部、識別情報受信部、リスト生成部、判定部および警告指示送信部を備える。検知情報受信部は、第１人感センサおよび第２人感センサから検知情報を受信する。起動指示送信部は、検知情報受信部が、第１人感センサから検知情報を受信すると、一般エリア側ゲートに起動指示を送信し、検知情報受信部が、第２人感センサから検知情報を受信すると、管理エリア側ゲートに起動指示を送信する。識別情報受信部は、一般エリア側ゲートおよび管理エリア側ゲートから識別情報を受信する。リスト生成部は、識別情報受信部が一般エリア側ゲートから受け取った識別情報を入室禁止リストとして記憶する。判定部は、識別情報受信部が管理エリア側ゲートから受け取った識別情報が、入室禁止リストに含まれるか否かを判定する。警告指示送信部は、判定部が入室禁止リストに含まれると判定すると、警告装置に警告指示を送信する。
【発明の効果】
【００１２】
本発明によれば、ユーザが、決められたレベルの清浄度に管理された管理対象物を着用または携行し、決められたレベルの清浄度に管理された管理エリア内に出入りする場合において、清浄度が管理されていない一般エリアへ管理対象物が持ち出されたことを記録するので、一般エリアへ一旦持ち出されたことで汚染された管理対象物が管理エリアに持ち込まれることを防止し、管理エリア内に微粒子や微生物が混入することを防ぐことができる。
【図面の簡単な説明】
【００１３】
【図１】本発明の実施の形態１に係る入退室管理システムの構成例を示す図である。
【図２】実施の形態１に係る入退室管理装置の機能構成例を示す図である。
【図３】実施の形態１に係る退室管理処理の動作の一例を示すフローチャートである。
【図４】実施の形態１に係る入室管理処理の動作の一例を示すフローチャートである。
【図５】本発明の実施の形態２に係る入退室管理システムの構成例を示す図である。
【図６】実施の形態２に係る入退室管理装置の機能構成例を示す図である。
【図７】実施の形態２に係る入室管理処理の動作の一例を示すフローチャートである。
【図８】本発明の実施の形態３に係る入退室管理システムの構成例を示す図である。
【図９】実施の形態３に係る入退室管理装置の機能構成例を示す図である。
【図１０】実施の形態３に係る退室管理処理の動作の一例を示すフローチャートである。
【図１１】本発明の実施の形態４に係る入退室管理システムの構成例を示す図である。
【図１２】実施の形態４に係る入退室管理装置の機能構成例を示す図である。
【図１３】実施の形態４に係る入室管理処理の動作の一例を示すフローチャートである。
【図１４】本発明の実施の形態に係る入退室管理装置のハードウェア構成の一例を示すブロック図である。
【発明を実施するための形態】
【００１４】
以下に、本発明を実施するための形態について図面を参照して詳細に説明する。なお、図中同一または相当する部分には同じ符号を付す。本実施の形態では、管理対象物は、決められたレベルの清浄度に保たれた衣服、帽子、靴などの管理エリア用着用物である。本実施の形態では、清浄度が管理されている管理エリアと、清浄度が管理されていない一般エリアがあり、管理エリアと一般エリアとの間に、ユーザが管理エリア用着用物に着替える着替えエリアがある。
【００１５】
（実施の形態１）
図１は、本発明の実施の形態１に係る入退室管理システムの構成例を示す図である。入退室管理システム１００は、一般エリアと着替えエリアとを仕切る一般エリア側ゲート２１と、管理エリアと着替えエリアとを仕切る管理エリア側ゲート２２と、着替えエリアから一般エリアに出るユーザを検知する人感センサ４１と、着替えエリアから管理エリアに入るユーザを検知する人感センサ４２と、ユーザが着替えエリアで着替える管理エリア用着用物（帽子３１、衣服３２および靴３３）と、警報を鳴らす警報装置６と、一般エリア側ゲート２１、管理エリア側ゲート２２、人感センサ４１、人感センサ４２、および警報装置６と接続される入退室管理装置１と、で構成される。
【００１６】
人感センサ４１および人感センサ４２は、ユーザの存在を検知すると、ユーザの存在を検知したことを示す検知情報を入退室管理装置１に送信する。入退室管理装置１は、人感センサ４１から検知情報を受信すると、一般エリア側ゲート２１に起動指示を送信する。入退室管理装置１は、人感センサ４２から検知情報を受信すると、管理エリア側ゲート２２に起動指示を送信する。
【００１７】
一般エリア側ゲート２１および管理エリア側ゲート２２は、入退室管理装置１から起動指示を受信すると起動し、起動してから所定の起動時間経過後に停止する。
【００１８】
帽子３１、衣服３２および靴３３には、それぞれを識別する識別情報を無線で発信する電子タグが取り付けられている。ユーザは、一般エリアから着替えエリアに入ると、ロッカー５に収納されている帽子３１、衣服３２および靴３３を着用して、着替えエリアから管理エリアに入るルールに基づいて行動する。また、ユーザは、管理エリアから着替えエリアに入ると、帽子３１、衣服３２および靴３３を脱いで、着替えエリアから一般エリアに出るルールに基づいて行動する。
【００１９】
一般エリア側ゲート２１は、一般エリア側の受信範囲に存在する帽子３１、衣服３２および靴３３から識別情報を受信する。つまり、ユーザがルールを遵守せず、帽子３１、衣服３２および靴３３を着用したまま、一般エリア側ゲート２１を通過して着替えエリアから一般エリアに出ると、一般エリア側ゲート２１は、帽子３１、衣服３２および靴３３から発信される識別情報を受信する。一般エリア側ゲート２１は、受信した識別情報を入退室管理装置１に送信する。
【００２０】
管理エリア側ゲート２２は、着替えエリア側の受信範囲に存在する帽子３１、衣服３２および靴３３から識別情報を受信する。つまり、帽子３１、衣服３２および靴３３を着用したユーザが着替えエリア内で管理エリア側ゲート２２に接近すると、管理エリア側ゲート２２は、帽子３１、衣服３２および靴３３から発信される識別情報を受信する。管理エリア側ゲート２２は、受信した識別情報を入退室管理装置１に送信する。
【００２１】
入退室管理装置１は、一般エリア側ゲート２１から識別情報を受信すると、受信した識別情報が示す帽子３１、衣服３２および靴３３は一般エリアに出て汚染されたと判断し、入室禁止リストとして当該識別情報を記憶する。
【００２２】
入退室管理装置１は、管理エリア側ゲート２２から識別情報を受信すると、受信した識別情報が入室禁止リストに含まれるか否かを判定し、含まれる場合には、警報装置６に警報指示を送信する。警報装置６は、入退室管理装置１から警報指示を受信すると警報を鳴らす。警報は音声やランプの点灯など、ユーザに警告できるものであれば、なんでもよい。
【００２３】
図２は、実施の形態１に係る入退室管理装置の機能構成例を示す図である。入退室管理装置１は、検知情報受信部１１、起動指示送信部１２、識別情報受信部１３、リスト生成部１４、記憶部１５、判定部１６および警報指示送信部１７を備える。
【００２４】
検知情報受信部１１は、人感センサ４１および人感センサ４２から検知情報を受信し、起動指示送信部１２に送る。
【００２５】
起動指示送信部１２は、検知情報受信部１１から、人感センサ４１からの検知情報を受け取ると、起動指示を一般エリア側ゲート２１に送信する。起動指示送信部１２は、検知情報受信部１１から、人感センサ４２からの検知情報を受け取ると、起動指示を管理エリア側ゲート２２に送信する。
【００２６】
一般エリア側ゲート２１および管理エリア側ゲート２２は、起動指示を受信すると所定の起動時間起動し、識別情報の受信を待機する。
【００２７】
識別情報受信部１３は、一般エリア側ゲート２１および管理エリア側ゲート２２から識別情報を受信する。識別情報受信部１３は、一般エリア側ゲート２１から受信した識別情報をリスト生成部１４に送る。識別情報受信部１３は、管理エリア側ゲート２２から受信した識別情報を判定部１６に送る。
【００２８】
リスト生成部１４は、識別情報受信部１３から受け取った識別情報を記憶部１５が記憶する入室禁止リストに追加する。
【００２９】
判定部１６は、識別情報受信部１３から受け取った識別情報が、記憶部１５が記憶する入室禁止リストに含まれるか否かを判定する。判定部１６は、識別情報が入室禁止リストに含まれると判定すると、警報指示送信部１７に警報指示を送る。
【００３０】
警報指示送信部１７は、警報装置６に警報指示を送信する。警報装置６は警報指示を受信すると、警報を鳴らす。
【００３１】
図３は、実施の形態１に係る退室管理処理の動作の一例を示すフローチャートである。退室管理処理１は、入退室管理装置１に電源が投入されると開始する。
【００３２】
入退室管理装置１の検知情報受信部１１が、人感センサ４１から検知情報を受信しない場合（ステップＳ１１；ＮＯ）、ステップＳ１１を繰り返して、人感センサ４１からの検知情報の受信を待機する。
【００３３】
人感センサ４１から検知情報を受信した場合（ステップＳ１１；ＹＥＳ）、検知情報受信部１１は、人感センサ４１からの検知情報を起動指示送信部１２に送る。
【００３４】
起動指示送信部１２は、検知情報受信部１１から、人感センサ４１からの検知情報を受け取ると、起動指示を一般エリア側ゲート２１に送信し、起動させる（ステップＳ１２）。
【００３５】
識別情報受信部１３が、一般エリア側ゲート２１から識別情報を受信しない場合（ステップＳ１３；ＮＯ）、ステップＳ１３を繰り返して、一般エリア側ゲート２１からの識別情報の受信を待機する。
【００３６】
一般エリア側ゲート２１から識別情報を受信した場合（ステップＳ１３；ＹＥＳ）、識別情報受信部１３は、一般エリア側ゲート２１からの識別情報をリスト生成部１４に送る。リスト生成部１４は、識別情報受信部１３から受け取った識別情報を記憶部１５が記憶する入室禁止リストに追加する（ステップＳ１４）。
【００３７】
入退室管理装置１の電源がＯＦＦになっていなければ（ステップＳ１５；ＮＯ）、ステップＳ１１に戻り、ステップＳ１１〜ステップＳ１５を繰り返す。電源がＯＦＦになった場合（ステップＳ１５；ＹＥＳ）、処理を終了する。
【００３８】
図４は、実施の形態１に係る入室管理処理の動作の一例を示すフローチャートである。入室管理処理１は、入退室管理装置１に電源が投入されると開始する。
【００３９】
入退室管理装置１の検知情報受信部１１が、人感センサ４２から検知情報を受信しない場合（ステップＳ２１；ＮＯ）、ステップＳ２１を繰り返して、人感センサ４２からの検知情報の受信を待機する。
【００４０】
人感センサ４２から検知情報を受信した場合（ステップＳ２１；ＹＥＳ）、検知情報受信部１１は、人感センサ４２からの検知情報を起動指示送信部１２に送る。
【００４１】
起動指示送信部１２は、検知情報受信部１１から、人感センサ４２からの検知情報を受け取ると、起動指示を管理エリア側ゲート２２に送信し、起動させる（ステップＳ２２）。
【００４２】
識別情報受信部１３が、管理エリア側ゲート２２から識別情報を受信しない場合（ステップＳ２３；ＮＯ）、ステップＳ２３を繰り返して、管理エリア側ゲート２２からの識別情報の受信を待機する。
【００４３】
管理エリア側ゲート２２から識別情報を受信した場合（ステップＳ２３；ＹＥＳ）、識別情報受信部１３は、管理エリア側ゲート２２からの識別情報を判定部１６に送る。判定部１６は、識別情報受信部１３から受け取った識別情報が、記憶部１５が記憶する入室禁止リストに含まれるか否かを判定する（ステップＳ２４）。
【００４４】
入室禁止リストに含まれない場合（ステップＳ２４；ＮＯ）、処理はステップＳ２６に移行する。入室禁止リストに含まれる場合（ステップＳ２４；ＹＥＳ）、判定部１６は、警報指示送信部１７に警報指示を送る。警報指示送信部１７は、警報装置６に警報指示を送信する（ステップＳ２５）。
【００４５】
入退室管理装置１の電源がＯＦＦになっていなければ（ステップＳ２６；ＮＯ）、ステップＳ２１に戻り、ステップＳ２１〜ステップＳ２６を繰り返す。電源がＯＦＦになった場合（ステップＳ２６；ＹＥＳ）、処理を終了する。
【００４６】
以上説明したように、実施の形態１の入退室管理装置１によれば、ユーザが、決められたレベルの清浄度に管理された管理対象物を着用または携行し、決められたレベルの清浄度に管理された管理エリア内に出入りする場合において、清浄度が管理されていない一般エリアへ管理対象物が持ち出されたことを記録するので、一般エリアへ一旦持ち出されたことで汚染された管理対象物が管理エリアに持ち込まれることを防止し、管理エリア内に微粒子や微生物が混入することを防ぐことができる。
【００４７】
（実施の形態２）
図５は、本発明の実施の形態２に係る入退室管理システムの構成例を示す図である。入退室管理システム２００では、実施の形態１の入退室管理システム１００の警報装置６に代えて、管理エリア側ゲート２２が自動ドア２２０を備える。
【００４８】
入退室管理装置１は、管理エリア側ゲート２２から受信した識別情報が入室禁止リストに含まれる場合には、管理エリア側ゲート２２に自動ドア２２０を閉じる制御指示を送信する。管理エリア側ゲート２２は、入退室管理装置１から自動ドア２２０を閉じる制御指示を受信すると自動ドア２２０を閉じる。
【００４９】
その他の構成は、入退室管理システム１００と同様である。
【００５０】
図６は、実施の形態２に係る入退室管理装置の機能構成例を示す図である。実施の形態２の入退室管理装置１は、実施の形態１の入退室管理装置１の警報指示送信部１７に代えて、制御指示送信部１８を備える。
【００５１】
判定部１６は、識別情報受信部１３から受け取った識別情報が、記憶部１５が記憶する入室禁止リストに含まれると判定すると、制御指示送信部１８に自動ドア２２０を閉じる制御指示を送る。
【００５２】
制御指示送信部１８は、管理エリア側ゲート２２に自動ドア２２０を閉じる制御指示を送信する。管理エリア側ゲート２２は自動ドア２２０を閉じる制御指示を受信すると、自動ドア２２０を閉じる。
【００５３】
その他の構成は、実施の形態１の入退室管理装置１と同様である。
【００５４】
図７は、実施の形態２に係る入室管理処理の動作の一例を示すフローチャートである。入室管理処理２は、入退室管理装置１に電源が投入されると開始する。
【００５５】
入退室管理装置１の検知情報受信部１１が、人感センサ４２から検知情報を受信しない場合（ステップＳ３１；ＮＯ）、ステップＳ３１を繰り返して、人感センサ４２からの検知情報の受信を待機する。
【００５６】
人感センサ４２から検知情報を受信した場合（ステップＳ３１；ＹＥＳ）、検知情報受信部１１は、人感センサ４２からの検知情報を起動指示送信部１２に送る。
【００５７】
起動指示送信部１２は、検知情報受信部１１から、人感センサ４２からの検知情報を受け取ると、起動指示を管理エリア側ゲート２２に送信し、起動させる（ステップＳ３２）。
【００５８】
識別情報受信部１３が、管理エリア側ゲート２２から識別情報を受信しない場合（ステップＳ３３；ＮＯ）、ステップＳ３３を繰り返して、管理エリア側ゲート２２からの識別情報の受信を待機する。
【００５９】
管理エリア側ゲート２２から識別情報を受信した場合（ステップＳ３３；ＹＥＳ）、識別情報受信部１３は、管理エリア側ゲート２２からの識別情報を判定部１６に送る。判定部１６は、識別情報受信部１３から受け取った識別情報が、記憶部１５が記憶する入室禁止リストに含まれるか否かを判定する（ステップＳ３４）。
【００６０】
入室禁止リストに含まれない場合（ステップＳ３４；ＮＯ）、処理はステップＳ３６に移行する。入室禁止リストに含まれる場合（ステップＳ３４；ＹＥＳ）、判定部１６は、制御指示送信部１８に自動ドア２２０を閉じる制御指示を送る。制御指示送信部１８は、管理エリア側ゲート２２に自動ドア２２０を閉じる制御指示を送信する（ステップＳ３５）。
【００６１】
入退室管理装置１の電源がＯＦＦになっていなければ（ステップＳ３６；ＮＯ）、ステップＳ３１に戻り、ステップＳ３１〜ステップＳ３６を繰り返す。電源がＯＦＦになった場合（ステップＳ３６；ＹＥＳ）、処理を終了する。
【００６２】
実施の形態２における退室管理処理は、実施の形態１と同様である。
【００６３】
以上説明したように、実施の形態２の入退室管理システム２００によれば、一般エリアへ一旦持ち出されたことで汚染された管理対象物が管理エリアに持ち込まれないように、自動ドアを閉じるので、より確実に管理エリア内に微粒子や微生物が混入することを防ぐことができる。
【００６４】
（実施の形態３）
図８は、本発明の実施の形態３に係る入退室管理システムの構成例を示す図である。入退室管理システム３００は、実施の形態１の入退室管理システム１００の構成に加えて、管理エリアから着替えエリアに入るユーザを検知する人感センサ４３と、ユーザが着用済の管理エリア用着用物を返却する返却箱８とを備える。
【００６５】
ユーザは、着替えエリアから一般エリアに出るときは、着用済の管理エリア用着用物を返却箱８に返却するルールに基づいて行動する。返却箱８は、管理エリア用着用物の識別情報を受信する機能を有する。返却箱８は、受信した識別情報を入退室管理装置１に送信する。
【００６６】
入退室管理装置１は、人感センサ４３から検知情報を受信した後に、管理エリア側ゲート２２から識別情報を受信すると、ユーザが管理エリア側ゲート２２を通過して着替えエリアに入ったと判断する。
【００６７】
入退室管理装置１は、一般エリアゲート２１から識別情報を受信した場合に加え、ユーザが管理エリア側ゲート２２を通過して着替えエリアに入ったと判断してから所定の時間以内に、管理エリア側ゲート２２および返却箱８のどちらからも当該識別情報を受信しない場合も、当該識別情報が示す帽子３１、衣服３２および靴３３は一般エリアに出て汚染されたと判断し、入室禁止リストとして当該識別情報を記憶する。
【００６８】
つまり、管理エリアから着替えエリアに入ったユーザが着用済の管理エリア用着用物を返却箱８に返却せず（返却箱８から当該識別情報を受信しない）、かつ、管理エリアに戻っていない（一般エリア側ゲート２１から当該識別情報を受信しない）場合は、ユーザが管理エリア用着用物を着用したまま一般エリアに出たと判断する。
【００６９】
その他の構成は、入退室管理システム１００と同様である。
【００７０】
図９は、実施の形態３に係る入退室管理装置の機能構成例を示す図である。実施の形態３の入退室管理装置１の検知情報受信部１１は、人感センサ４１、人感センサ４２および人感センサ４３から検知情報を受信し、起動指示送信部１２および識別情報受信部１３に送る。
【００７１】
起動指示送信部１２は、検知情報受信部１１から、人感センサ４２および人感センサ４３からの検知情報を受け取ると、起動指示を管理エリア側ゲート２２に送信する。
【００７２】
識別情報受信部１３は、検知情報受信部１１から、人感センサ４３からの検知情報を受け取った後に、管理エリア側ゲート２２から識別情報を受信すると、受信した識別情報を記憶部１５に退室情報として一時記憶する。また、識別情報受信部１３は、記憶部１５に退室情報を記憶したことをリスト生成部１４に通知する。
【００７３】
識別情報受信部１３は、人感センサ４２からの検知情報を受け取った後に、管理エリア側ゲート２２から受け取った識別情報を判定部１６およびリスト生成部１４に送る。また、識別情報受信部１３は、返却箱８から識別情報を受信すると、リスト生成部１４に送る。
【００７４】
リスト生成部１４は、識別情報受信部１３から記憶部１５に退室情報を記憶したことを通知されると、通知後の経過時間を計測する。
【００７５】
リスト生成部１４は、通知後、所定の時間が経過するまでに、退室情報と同一の識別情報を識別情報受信部１３から受け取らない場合、記憶部１５に退室情報として一時記憶されている識別情報を、入室禁止リストに追加する。
【００７６】
リスト生成部１４は、通知後、所定の時間が経過すると、退室情報として一時記憶されている識別情報を記憶部１５から消去する。
【００７７】
その他の構成は、実施の形態１の入退室管理装置１と同様である。
【００７８】
図１０は、実施の形態３に係る退室管理処理の動作の一例を示すフローチャートである。退室管理処理２は、入退室管理装置１に電源が投入されると開始する。
【００７９】
入退室管理装置１の検知情報受信部１１が、人感センサ４３から検知情報を受信しない場合（ステップＳ４１；ＮＯ）、ステップＳ４１を繰り返して、人感センサ４３からの検知情報の受信を待機する。
【００８０】
人感センサ４３から検知情報を受信した場合（ステップＳ４１；ＹＥＳ）、検知情報受信部１１は、人感センサ４３からの検知情報を起動指示送信部１２に送る。
【００８１】
起動指示送信部１２は、検知情報受信部１１から、人感センサ４３からの検知情報を受け取ると、起動指示を管理エリア側ゲート２２に送信し、起動させる（ステップＳ４２）。
【００８２】
識別情報受信部１３が、管理エリア側ゲート２２から識別情報を受信しない場合（ステップＳ４３；ＮＯ）、ステップＳ４３を繰り返して、管理エリア側ゲート２２からの識別情報の受信を待機する。
【００８３】
管理エリア側ゲート２２から識別情報を受信した場合（ステップＳ４３；ＹＥＳ）、識別情報受信部１３は、受信した識別情報を記憶部１５に退室情報として一時記憶する（ステップＳ４４）。このとき、識別情報受信部１３は、記憶部１５に退室情報を記憶したことをリスト生成部１４に通知する。
【００８４】
識別情報受信部１３が一般エリア側ゲート２１から識別情報を受信した場合（ステップＳ４５；ＹＥＳ）、識別情報受信部１３は、一般エリア側ゲート２１からの識別情報をリスト生成部１４に送る。リスト生成部１４は、識別情報受信部１３から受け取った識別情報を記憶部１５が記憶する入室禁止リストに追加する（ステップＳ４９）。
【００８５】
識別情報受信部１３が一般エリア側ゲート２１から識別情報を受信せず（ステップＳ４５；ＮＯ）、管理エリア側ゲート２２から識別情報を受信した場合（ステップＳ４６；ＹＥＳ）、処理はステップＳ５０に移行する。
【００８６】
識別情報受信部１３が管理エリア側ゲート２２から識別情報を受信せず（ステップＳ４６；ＮＯ）、返却箱８から識別情報を受信した場合（ステップＳ４７；ＹＥＳ）、処理はステップＳ５０に移行する。
【００８７】
識別情報受信部１３が返却箱８から識別情報を受信しない場合（ステップＳ４７；ＮＯ）、リスト生成部１４は、記憶部１５に退室情報を記憶したことを通知されてから所定の時間が経過したか否かを判定する（ステップＳ４８）。
【００８８】
所定の時間が経過していない場合（ステップＳ４８；ＮＯ）、ステップＳ４５に戻り、ステップＳ４５〜ステップＳ４８を繰り返す。所定の時間が経過した場合（ステップＳ４８；ＹＥＳ）、リスト生成部１４は、記憶部１５に退室情報として一時記憶されている識別情報を、入室禁止リストに追加し（ステップＳ４９）、退室情報として一時記憶されている識別情報を記憶部１５から消去する。（ステップＳ５０）。
【００８９】
入退室管理装置１の電源がＯＦＦになっていなければ（ステップＳ５１；ＮＯ）、ステップＳ４１に戻り、ステップＳ４１〜ステップＳ５１を繰り返す。電源がＯＦＦになった場合（ステップＳ５１；ＹＥＳ）、処理を終了する。
【００９０】
実施の形態３における入室管理処理は、実施の形態１と同様である。
【００９１】
以上説明したように、実施の形態３の入退室管理システム３００によれば、一般エリア側ゲート２１が正しく作動しない場合であっても、ユーザが着用済の管理エリア用着用物を返却箱８に返却せず、かつ、管理エリアに戻っていない場合は、ユーザが管理エリア用着用物を着用したまま一般エリアに出たと判断することができるので、一般エリアへ一旦持ち出されたことで汚染された管理対象物が管理エリアに持ち込まれることを、より確実に防止し、管理エリア内に微粒子や微生物が混入することを防ぐことができる。
【００９２】
（実施の形態４）
図１１は、本発明の実施の形態４に係る入退室管理システムの構成例を示す図である。入退室管理システム４００は、管理エリア側ゲート２２を備えず、一般エリア側ゲート２１が管理エリア側ゲート２２と同様の機能を兼ね備える。入退室管理システム４００では、一般エリアから着替えエリアに入るユーザを検知する人感センサ４４を備える。
【００９３】
人感センサ４４は、ユーザの存在を検知すると、ユーザの存在を検知したことを示す検知情報を入退室管理装置１に送信する。入退室管理装置１は、人感センサ４４から検知情報を受信すると、一般エリア側ゲート２１に起動指示を送信する。
【００９４】
一般エリア側ゲート２１は、一般エリア側の受信範囲に存在する帽子３１、衣服３２および靴３３から識別情報を受信する。つまり、ユーザがルールを遵守せず、帽子３１、衣服３２および靴３３を着用したまま、一般エリア側ゲート２１を通過して着替えエリアから一般エリアに出るときだけでなく、帽子３１、衣服３２および靴３３を着用したユーザが一般エリア内で一般エリア側ゲート２１に接近したときも、一般エリア側ゲート２１は、帽子３１、衣服３２および靴３３から発信される識別情報を受信する。一般エリア側ゲート２１は、受信した識別情報を入退室管理装置１に送信する。
【００９５】
入退室管理装置１は、人感センサ４１から検知情報を受信した後に、一般エリア側ゲート２１から識別情報を受信すると、受信した識別情報が示す帽子３１、衣服３２および靴３３は一般エリアに出て汚染されたと判断し、入室禁止リストとして当該識別情報を記憶する。
【００９６】
入退室管理装置１は、人感センサ４４から検知情報を受信した後に、一般エリア側ゲート２１から識別情報を受信すると、受信した識別情報が入室禁止リストに含まれるか否かを判定する。含まれる場合には、入退室管理装置１は、警報装置６に警報指示を送信する。
【００９７】
その他の構成は、入退室管理システム１００と同様である。
【００９８】
図１２は、実施の形態４に係る入退室管理装置の機能構成例を示す図である。実施の形態４の入退室管理装置１の検知情報受信部１１は、人感センサ４１および人感センサ４４から検知情報を受信し、起動指示送信部１２および識別情報受信部１３に送る。
【００９９】
起動指示送信部１２は、検知情報受信部１１から、人感センサ４１および人感センサ４４からの検知情報を受け取ると、起動指示を一般エリア側ゲート２１に送信する。
【０１００】
識別情報受信部１３は、検知情報受信部１１から、人感センサ４１からの検知情報を受け取った後に、一般エリア側ゲート２１から識別情報を受信すると、識別情報をリスト生成部１４に送る。識別情報受信部１３は、検知情報受信部１１から、人感センサ４４からの検知情報を受け取った後に、一般エリア側ゲート２１から識別情報を受信すると、識別情報を判定部１６に送る。
【０１０１】
その他の構成は、実施の形態１の入退室管理装置１と同様である。
【０１０２】
図１３は、実施の形態４に係る入室管理処理の動作の一例を示すフローチャートである。入室管理処理３は、入退室管理装置１に電源が投入されると開始する。
【０１０３】
入退室管理装置１の検知情報受信部１１が、人感センサ４４から検知情報を受信しない場合（ステップＳ６１；ＮＯ）、ステップＳ６１を繰り返して、人感センサ４４からの検知情報の受信を待機する。
【０１０４】
人感センサ４４から検知情報を受信した場合（ステップＳ６１；ＹＥＳ）、検知情報受信部１１は、人感センサ４４からの検知情報を起動指示送信部１２および識別情報受信部１３に送る。
【０１０５】
起動指示送信部１２は、検知情報受信部１１から、人感センサ４４からの検知情報を受け取ると、起動指示を一般エリア側ゲート２１に送信し、起動させる（ステップＳ６２）。
【０１０６】
識別情報受信部１３が、一般エリア側ゲート２１から識別情報を受信しない場合（ステップＳ６３；ＮＯ）、ステップＳ６３を繰り返して、一般エリア側ゲート２１からの識別情報の受信を待機する。
【０１０７】
人感センサ４４からの検知情報を受け取った後に、一般エリア側ゲート２１から識別情報を受信した場合（ステップＳ６３；ＹＥＳ）、識別情報受信部１３は、一般エリア側ゲート２１から識別情報を判定部１６に送る。判定部１６は、識別情報受信部１３から受け取った識別情報が、記憶部１５が記憶する入室禁止リストに含まれるか否かを判定する（ステップＳ６４）。
【０１０８】
入室禁止リストに含まれない場合（ステップＳ６４；ＮＯ）、処理はステップＳ６６に移行する。入室禁止リストに含まれる場合（ステップＳ６４；ＹＥＳ）、判定部１６は、警報指示送信部１７に警報指示を送る。警報指示送信部１７は、警報装置６に警報指示を送信する（ステップＳ６５）。
【０１０９】
入退室管理装置１の電源がＯＦＦになっていなければ（ステップＳ６６；ＮＯ）、ステップＳ６１に戻り、ステップＳ６１〜ステップＳ６６を繰り返す。電源がＯＦＦになった場合（ステップＳ６６；ＹＥＳ）、処理を終了する。
【０１１０】
実施の形態４における退室管理処理は、実施の形態１と同様である。
【０１１１】
以上説明したように、実施の形態４の入退室管理システム４００によれば、識別情報を受信し、入退室管理装置１に送信する機能を備えるゲートが１つでよいので、より低コストで、一般エリアへ一旦持ち出されたことで汚染された管理対象物が管理エリアに持ち込まれることを防止し、管理エリア内に微粒子や微生物が混入することを防ぐことができる。
【０１１２】
上記の実施の形態１〜３は、別々に説明したが、これらを組み合わせてもよい。また、実施の形態４の入退室管理システム４００の警報装置６に代えて、実施の形態２に係る自動ドア２２０を一般エリア側ゲート２１が備える構成にしてもよい。
【０１１３】
図１４は、実施の形態に係る入退室管理装置のハードウェア構成の一例を示すブロック図である。入退室管理装置１は、図１４に示すように、制御部５１、主記憶部５２、外部記憶部５３、操作部５４、表示部５５および送受信部５６を備える。主記憶部５２、外部記憶部５３、操作部５４、表示部５５および送受信部５６はいずれも内部バス５０を介して制御部５１に接続されている。
【０１１４】
制御部５１はＣＰＵ（Central Processing Unit）などから構成され、外部記憶部５３に記憶されている制御プログラム５９に従って、入退室管理装置１の識別情報受信１３、リスト生成部１４および判定部１６の各処理を実行する。
【０１１５】
主記憶部５２はＲＡＭ（Random-Access Memory）などから構成され、外部記憶部５３に記憶されている制御プログラム５９をロードし、制御部５１の作業領域として用いられる。
【０１１６】
外部記憶部５３は、フラッシュメモリ、ハードディスク、ＤＶＤ−ＲＡＭ、ＤＶＤ−ＲＷなどの不揮発性メモリから構成され、入退室管理装置１の処理を制御部５１に行わせるためのプログラムをあらかじめ記憶し、また、制御部５１の指示に従って、このプログラムが記憶するデータを制御部５１に供給し、制御部５１から供給されたデータを記憶する。記憶部１５は外部記憶部５３に構成される。
【０１１７】
操作部５４はキーボードおよびマウスなどのポインティングデバイスなどと、キーボードおよびポインティングデバイスなどを内部バス５０に接続するインタフェース装置から構成されている。操作部５４を介して、入力された情報が制御部５１に供給される。システム管理者が入退室管理装置１に情報を入力する場合は、操作部５４を介して、入力された情報が制御部５１に供給される。
【０１１８】
表示部５５は、ＣＲＴまたはＬＣＤなどから構成されている。システム管理者が入退室管理装置１に情報を入力する場合は、操作画面を表示する。
【０１１９】
送受信部５６は、ネットワークに接続する網終端装置または無線通信装置、およびそれらと接続するシリアルインタフェースまたはＬＡＮ（Local Area Network）インタフェースから構成されている。送受信部５６は、検知情報受信部１１、起動指示送信部１２、識別情報受信部１３、警報指示送信部１７、および、制御指示送信部１８として機能する。
【０１２０】
図２、図６、図９および図１２に示す入退室管理装置１の検知情報受信部１１、起動指示送信部１２、識別情報受信部１３、リスト生成部１４、記憶部１５、判定部１６、警報指示送信部１７、および、制御指示送信部１８の処理は、制御プログラム５９が、制御部５１、主記憶部５２、外部記憶部５３、操作部５４、表示部５５および送受信部５６などを資源として用いて処理することによって実行する。
【０１２１】
その他、前記のハードウェア構成やフローチャートは一例であり、任意に変更および修正が可能である。
【０１２２】
制御部５１、主記憶部５２、外部記憶部５３、操作部５４、表示部５５、送受信部５６、内部バス５０などから構成される入退室管理装置１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、当該コンピュータプログラムをコンピュータにインストールすることにより、前記の処理を実行する入退室管理装置１を構成してもよい。また、インターネットなどの通信ネットワーク上のサーバ装置が有する記憶装置に当該コンピュータプログラムを格納しておき、通常のコンピュータシステムがダウンロードなどすることで入退室管理装置１を構成してもよい。
【０１２３】
また、入退室管理装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１２４】
また、搬送波にコンピュータプログラムを重畳し、通信ネットワークを介して提供することも可能である。例えば、通信ネットワーク上の掲示板（BBS, Bulletin Board System）に前記コンピュータプログラムを掲示し、ネットワークを介して前記コンピュータプログラムを提供してもよい。そして、このコンピュータプログラムを起動し、ＯＳの制御下で、他のアプリケーションプログラムと同様に実行することにより、前記の処理を実行できるように構成してもよい。
【符号の説明】
【０１２５】
１  入退室管理装置、５  ロッカー、６  警報装置、８  返却箱、４１,４２，４３，４４  人感センサ、１１  検知情報受信部、１２  起動指示送信部、１３  識別情報受信部、１４  リスト生成部、１５  記憶部、１６  判定部、１７  警報指示送信部、１８  制御指示送信部、２１  一般エリア側ゲート、２２  管理エリア側ゲート、３１  帽子、３２  衣服、３３  靴、５０  内部バス、５１  制御部、５２  主記憶部、５３  外部記憶部、５４  操作部、５５  表示部、５６  送受信部、５９  制御プログラム、１００，２００，３００，４００  入退室管理システム、２２０  自動ドア。
【図１】
2015225434.tif 000003
【図２】
2015225434.tif 000004
【図３】
2015225434.tif 000005
【図４】
2015225434.tif 000006
【図５】
2015225434.tif 000007
【図６】
2015225434.tif 000008
【図７】
2015225434.tif 000009
【図８】
2015225434.tif 000010
【図９】
2015225434.tif 000011
【図１０】
2015225434.tif 000012
【図１１】
2015225434.tif 000013
【図１２】
2015225434.tif 000014
【図１３】
2015225434.tif 000015
【図１４】
2015225434.tif 000016